(57)【要約】【課題】片開きまたは観音開き可能な収納扉を閉めた際に浮き上がったり、収納扉の対向する側面がずれたりして隙間ができるのを防止するとともに、収納扉のヒンジ部分の罫線割れを防止する収納箱の提供。【解決手段】底板の前後左右に内板と外板で二重壁に形成された前側面板、後側面板、左側面板及び右側面板が起立した、ボトルＢ収納する身箱３、片開きまたは観音開き式に開閉する、グラスＧを収納する収納扉４の収納箱に連設された固定板が身箱３の左側面板及び／又は右側面板に固定されている収納箱であって、前側面板及び後側面板のそれぞれの内板と外板の間には、左側面板及び／又は右側面板のそれぞれの内板の両側に連設されたそれぞれの係止板が係止された状態で挟まれるとともに、それぞれの係止板に収納扉４の固定板の両側に連接された係止板が係止された状態で挟まれている。【選択図】図１
2019001484.tif 000002
【特許請求の範囲】
【請求項１】
身箱と、前記身箱を片開き又は観音開きで開閉する収納箱が前記身箱の上部に結合されている収納箱であって、
底板の前後左右に内板と外板で二重壁に形成された前側面板、後側面板、左側面板及び右側面板が起立した身箱の前記左側面板及び/又は右側面板に前記収納扉の収納箱に連設された固定板が固定されている収納箱において、
前記前側面板及び前記後側面板のそれぞれの前記内板と前記外板の間には、前記左側面板及び右側面板のそれぞれの前記内板の両側に連設されたそれぞれの係止板が係止された状態で挟まれるとともに、
前記前側面板及び/又は前記後側面板の前記内板のそれぞれの係止板に前記収納扉の前記固定板の両側に連接された係止板が係止された状態で挟まれていることを特徴とする収納箱。
【請求項２】
前記左側面板及び/又は右側面板の前記内板のそれぞれの係止板の上下に形成されている長孔に、他方の側の側面板の内板の係止板に形成された上下の係止片が通されて係止されていることを特徴とする請求項１に記載の収納箱。
【請求項３】
前記左側面板及び/又は右側面板の前記内板のそれぞれの係止板の上下に形成されている係止溝に収納扉の固定板の係止板の上下に形成された係止片が通されて係止されていることを特徴とする請求項１又は２に記載の収納箱。
【請求項４】
前記収納扉箱の前記固定板の上下に、収納箱に連接された補強板及び固定板の補強板が貼着されていることを特徴とする請求項１、２又は３に記載の収納箱。
【発明の詳細な説明】
【技術分野】
【０００１】
本発明は、身箱とその身箱を開閉する扉で構成された収納箱に関し、特に、ボトルが収納される身箱と、この身箱を開閉する、グラスが収納される扉で構成された収納箱に関する。
【背景技術】
【０００２】
ウイスキー、ワイン、日本酒などの飲み物を入れたボトルとグラスをセットにして箱に収納するため、各種の収納箱が提案されている（特許文献１〜３参照）。前記特許文献に記載された収納箱は、１枚のブランクを折り曲げて形成するために、組立に手間と時間がかかるという欠点があった。また、飲料調味料などの寸法が異なる複数の商品を収納する二重壁式の箱の両側に差し込みサック式の箱を連設して結合した観音開き式の詰め合わせ箱が提案されている（特許文献４図３参照）。しかしながら、取り外し自在の差し込み式であるために箱どうしを強固に結合できないという欠点があった。
【０００３】
また、身箱と、収納扉をそれぞれ異なるブランクで別々に形成し、形成された身箱と収納扉を差し込みでなく接着剤等で結合して一体に組み立てた収納箱が提案されていた。
【０００４】
身箱と収納扉を結合した収納箱は、図１２に示すように、ボトルが収納される身箱１０１とグラスが収納される左右の収納扉１０２で構成され、身箱内にはボトルを保持するボトル保持板１０３が差し入込まれている。
【０００５】
収納扉１０２は、箱状の収納箱の下部に身箱１０１の側面に接着する接着板１０４が連設されている。接着板１０４は身箱１０１の側面に強粘着性の両面テープ１０５の接着層を介して観音開き可能に接着される。接着は二人の作業者で行い、一人の作業者が収納扉１０２の上下左右がずれないように位置決めして保持した状態で残りの作業者が両面テープ１０５に接着板１０４を接着し、接着後に手で圧着して接着強度を高めている。
【０００６】
収納扉の収納箱と接着板の境界の折曲部分は、収納扉が正確に位置決めされないで固定されると、開閉時に回動するヒンジ部分が１枚板なので開閉動作の際に罫線割れするので、罫線割れを防ぐために罫線割れ防止用のテープ１０６が接着される。
【先行技術文献】
【特許文献】
【０００７】
【特許文献１】実開平７−３７９２１号公報
【特許文献２】特開平９−２０２３７５号公報
【特許文献３】特開平１０−２１８１６１号公報
【特許文献４】特開２００３−４０２５８号公報
【発明の概要】
【発明が解決しようとする課題】
【０００８】
身箱と収納扉で構成される前記収納箱は、身箱と収納扉の接着の際に正確に位置決めしないと収納扉が左右上下にずれたりして収納扉が浮き上がったり、収納扉を閉めた際に収納扉の側面がずれたりしてぴったり合わずに隙間ができたりして見映えが悪くなるといった欠点があった。
【０００９】
また、開閉動作させる収納扉のヒンジ部分となる収納箱と接着板の境界の折曲部分は開閉動作の際に罫線割れを起こすおそれがあるため、ヒンジ部分に罫線割れ防止用のテープを接着しているので、テープが必要になるだけでなく、テープを貼る作業工程も増えることになる。
【００１０】
そこで、本発明は、身箱に収納扉が開閉可能に設けられている収納箱において、収納扉を閉めた際に浮き上がったり、収納扉の対向する側面がずれたりして隙間ができるのを防止し、また、収納扉のヒンジ部分の罫線割れを防止することができる収納箱を提供するものである。
【課題を解決するための手段】
【００１１】
本願の請求項１の発明は、身箱と、前記身箱を片開き又は観音開きで開閉する収納箱が前記身箱の上部に結合されている収納箱であって、底板の前後左右に内板と外板で二重壁に形成された前側面板、後側面板、左側面板及び右側面板が起立した身箱の前記左側面板及び/又は右側面板に前記収納扉の収納箱に連設された固定板が固定されている収納箱において、前記前側面板及び前記後側面板のそれぞれの前記内板と前記外板の間には、前記左側面板及び右側面板のそれぞれの前記内板の両側に連設されたそれぞれの係止板が係止された状態で挟まれるとともに、前記前側面板及び/又は前記後側面板の前記内板のそれぞれの係止板に前記収納扉の前記固定板の両側に連接された係止板が係止された状態で挟まれていることを特徴とする収納箱である。
【００１２】
本願の請求項２の発明は、前記左側面板及び/又は右側面板の前記内板のそれぞれの係止板の上下に形成されている長孔に、他方の側の側面板の内板の係止板に形成された上下の係止片が通されて係止されていることを特徴とする請求項１に記載の収納箱である。
【００１３】
本願の請求項３の発明は、前記左側面板及び/又は右側面板の前記内板のそれぞれの係止板の上下に形成されている係止溝に収納扉の固定板の係止板の上下に形成された係止片が通されて係止されていることを特徴とする請求項１又は２に記載の収納箱である。
【００１４】
本願の請求項４の発明は、前記収納扉箱の前記固定板の上下に、収納箱に連接された補強板及び固定板の補強板が貼着されていることを特徴とする請求項１、２又は３に記載の収納箱である。
【発明の効果】
【００１５】
身箱に収納扉が開閉可能に設けられている本発明の収納箱は、前後の側面板のそれぞれの内板と外板の間には、左右の側面板のそれぞれの内板の係止板が係止された状態で挟まれるとともに、それぞれの係止板に収納扉の固定板の係止板が係止された状態で挟まれて、身箱と収納箱が強固に結合され且つ正確に位置決めされているので、収納扉のヒンジ部分の罫線割れを防止するとともに、収納扉を閉めた際に浮き上がったり、収納扉の対向する側面がずれたりして隙間ができるのを防止することができる。
【００１６】
また、収納扉の開閉動作で回動するヒンジ部分を補強板で二重にすることで、罫線割れをより確実に防止することができる。
【図面の簡単な説明】
【００１７】
【図１】（ａ）本発明による収納箱を収める化粧箱を示す図、（ｂ）は収納扉を観音開きした図である。
【図２】本発明の収納箱の組立を示す分解図である。
【図３】本発明の収納箱の身箱を展開した形状のブランクを示す平面図である。
【図４】本発明の収納箱の収納扉を展開した形状のブランクを示す平面図である。
【図５】本発明の収納箱のボトル保持板に使用するブランクの一例を示す図である。
【図６】本発明の身箱の外板の係止板の組立手順の説明図である。
【図７】本発明の身箱の外板の係止板の組立手順の説明図である。
【図８】本発明の身箱の外板の係止板の組立手順の説明図である。
【図９】本発明の収納扉を身箱に固定する手順の説明図である。
【図１０】本発明の収納扉を身箱に固定する手順の説明図である。
【図１１】本発明の収納扉を身箱に固定する手順の説明図である。
【図１２】従来の収納箱の一例を示す図である。
【発明を実施するための形態】
【００１８】
本発明の実施例について図面を参照しながら説明する。実施例ではボトルとグラスを収納する例について説明しているが、収納する物品は、ボトルとグラスに限定されるものではなく、他の異なる物品を収納してもよい。また、実施例では収納扉は身箱の左右に固定した観音開きの例について説明しているが、身箱の一方のみに固定して片開きにしてもよい。
【００１９】
図１（ａ）及び（ｂ）において、ボトル及びグラスをセットにして収納した化粧箱は、本発明による収納箱１がスリーブ２に出し入れ可能に収められる。
【００２０】
収納箱１はボトルＢを収納する身箱３、グラスＧを収納する左右の収納扉４，４、ボトルを保持するボトル保持板５から構成される。
【００２１】
左右の収納扉４，４は身箱３の左右の側面板６の上辺に観音開き可能に設けられ、収納扉４，４の開閉動作により身箱３を開けたり閉めたりする。収納扉４，４は、閉めた際に浮き上がったり、左右の収納扉４の対向する側面７がずれたりして隙間ができないように設けられる。
【００２２】
図２に示すように、本発明の収納箱は、収納箱を構成する身箱３、収納扉４，４、ボトル保持板５のそれぞれを展開した形状の紙製のブランクを折り曲げて組み立てられ、身箱３の側面に収納扉４，４が固定され、ボトル保持板５が身箱３内に押し込まれて固定される。
【００２３】
図３において、身箱３を展開した形成のブランクは、底板８の前後左右に点線で示す折曲線を介して右側面板９、左側面板１０、後側面板１１、前側面板１２が連設されている。左右の側面板９，１０には、それぞれに外板１３，１４と内板１５，１６とが折曲線を介して連設され、外板１３，１４と内板１５，１６は身箱３の内側に折り曲げにより外板１３，１４に重ねられ二重の側面板６（図１）が形成される。
【００２４】
外板１３，１４の両側には、折曲線を介して対向する外板１３，１４どうしを前後で連結するために係止させる係止板１７，１８が連設され、一方の係止板１８には上下に一対の長孔１９が形成され、他方の係止板１７には長孔１９に通す一対の係止片２０が上下に形成されている。長孔１９に通された係止片２０は、上下方向に広げるように折り曲げられ、上の長い係止片２０は上に折り曲げられた後、さらに係止板１８を超えて係止板１８を挟むように下向きに折り曲げられる。係止板１７，１８には、後述する収納扉の固定板の係止片を通す係止溝３４が上下に形成されている。
【００２５】
内板１５，１６の両側には、組み立てにより結合した係止板１７，１８を押さえて覆う押さえ板２１が連設されている。
【００２６】
後側面板１１及び前側面板１２は、左右の側面板９，１０と同様に、それぞれに外板２２，２３と内板２４，２５とが折曲線を介して連設され、外板２２，２３と内板２４，２５は折り曲げにより二重の側面板が形成される。一方の内板２４の両角には爪２６が形成され、この爪２６は前後の側面板１０，１１の組立後に内板１５，１６の下辺と底板８との隙間に差し込まれて内板２４を固定する。他方の内板２５の周囲は外板２３側に折り曲げて幅を持たせた壁を形成するために帯状板２７が連設されている。
【００２７】
図４において、左右の各収納扉を展開して形成されたブランクは、グラスを保持して収納する収納箱を形成する天板２８、底板２９、前後の側面板３０が連設され、グラスを保持する天板２８にはグラス内に差し込んでグラスを保持する保持片３１が形成されている。
【００２８】
収納箱の底板２９には身箱３の側面６に密着して固定される固定板３２が連設され、固定板３２の両側には折曲線を介して身箱３の係止板に係止する係止板３３が連設されている。係止板３３には、身箱３の外板１３，１４の係止板１７，１８に形成された上下の係止溝３４に係止させる一対の係止片３５が形成されている。係止片３５は係止溝３４に外側から差し込まれて内側で向き合うように曲げられて固定板３２が上下左右にずれるのが防止される。
【００２９】
固定板３２を補強するために天板２８に連設された補強板３６と、固定板３２自身に折曲線を介して連設された補強板３７をそれぞれ折り曲げて貼着される。補強板３７の貼着により各収納扉の開閉動作の際にヒンジ部が二重になって強化されて罫割れを防ぐことができる。
【００３０】
図５にボトルを身箱内で保持するボトル保持板５の組立に使用するブランクの一例を示すが、ボトルを身箱内で保持する手段は特に限定されるものではなく、公知の保持手段が使用できるのは言うまでもない。
【００３１】
図５において、ボトル保持板５を展開した形状のブランクは、ボトルネックを挟んで保持する切欠き３８を上面に備える壇状に折り曲げるボトルネック保持板３９と、組み立てられた壇状のボトルネック保持板３９を前後から挟むとともに、身箱の左右の側面板９，１０に接する外板４０と内板４１と側面板４２が底板４３の周囲に折れ線を介して連接されている。組み立てられたボトル保持板５は、身箱３の内面に接するように押し込んで密着させて固定する。
【００３２】
本発明の収納箱の組立方法について説明する。本発明の収納箱は、身箱と収納扉のそれぞれのブランクを折り曲げて身箱と収納扉を用意し、その後、組み立てた身箱と収納扉を結合する。
【００３３】
図６において、身箱３は、図３に示す身箱のブランクの左右の側面板９，１０の板外板１３，１４を折り曲げて起立させ、さらに内板１５，１６を身箱内側に折り曲げる。次いで外板１３，１４の係止板１７，１８を内側に折り曲げ、一方の係止板１８の上下の長孔１９に他方の係止板１７の上下の係止片２０を通し、長孔１９から出た係止片２０を広げるように上下に折り曲げる。図７に示すように上に折り曲げた上の長い係止片２０は、さらに係止板１８の上辺を超えさせ、図８に示すように、係止板１７を挟むように折り曲げる。こうして係止板１７，１８どうしを重ねて連結する。
【００３４】
図９に示すように、収納扉４は、グラスを保持して収納する箱を通常の箱の組立と同様に、図４に示すブランクの天板２８、底板２９、側面板３０を折り曲げ固定して箱を形成し、箱に連接された補強板３６及び固定板３２の補強板３６は折り曲げて固定板３２の上下に貼着する。
【００３５】
図１０において、身箱３の左側面板１０の側面に収納扉４の固定板を合わせ、固定板の係止板３３の上下の係止片３５を折り曲げ、係止板３３を身箱３の係止板１７側に折り曲げ、係止片３５を身箱３の係止板１７に形成された上下の係止溝３４に通して折り曲げて係止板１７を挟む。こうして、図１１に示すように、身箱３の左右に収納扉４を観音開き可能に固定し、押さえ板２１を係止板１７，１８に寄せる。
【００３６】
その後、前後の側面板１１，１２を起立させ、さらに内板２４，２５を身箱内側に折り曲げ、外板２２，２３と内板２４，２５との間に係止板１７，１８及び折り曲げた係止片２０、収納扉４の係止片３５を挟んで固定する。
【００３７】
その後、ボトルを保持するボトル保持板が身箱の内面に接するように押し込まれて収納箱の組立が完了する。
【符号の説明】
【００３８】
１：収納箱                  ２：スリーブ
３：身箱                    ４：収納扉
５：保持板                  ６：側面板
７：側面                    ８：底板
９：右側面板              １０：左側面板
１１：後側面板              １２：前側面板
１３：外板                  １４：外板
１５：内板                  １６：内板
１７：係止板                １８：係止板
１９：長孔                  ２０：係止片
２１：押さえ板              ２２：外板
２３：外板                  ２４：内板
２５：内板                  ２６：爪
２７：帯状板                ２８：天板
２９：底板                  ３０：側面板
３１：保持片                ３２：固定板
３３：係止板                ３４：係止溝
３５：係止片                ３６：補強板
３７：補強板                ３８：切欠き
３９：ボトルネック保持板    ４０：外板
４１：内板                  ４２：側面板
４３：底板
【図１】
2019001484.tif 000003
【図２】
2019001484.tif 000004
【図３】
2019001484.tif 000005
【図４】
2019001484.tif 000006
【図５】
2019001484.tif 000007
【図６】
2019001484.tif 000008
【図７】
2019001484.tif 000009
【図８】
2019001484.tif 000010
【図９】
2019001484.tif 000011
【図１０】
2019001484.tif 000012
【図１１】
2019001484.tif 000013
【図１２】
2019001484.tif 000014